(57)【要約】【課題】  開き寸法を容易に調節することができる伸縮門扉を提供する。【解決手段】  ガイド格子１と、左右方向に伸縮自在なリンク２と、ガイド格子１に着脱自在に取り付けたストッパー３とを備え、リンク２は、複数のリンク材２１をパンタグラフ状に連結したものであり、各リンク材２１同士の連結部４のうちの少なくとも一箇所がガイド格子１に上下動自在に係合しており、ストッパー３は、連結部４の上下動を規制するものであり、ガイド格子１に設けた被係合部１１に係合する係合部３１を上下方向の中央から上側又は下側の少なくとも一方側に有すると共に上下反転して取り付け自在であって、係合部３１の配置がストッパー３の中心に対して上下非対称である。【選択図】      図１
2010209649.tif 000002
【特許請求の範囲】
【請求項１】
ガイド格子と、左右方向に伸縮自在なリンクと、ガイド格子に着脱自在に取り付けたストッパーとを備え、リンクは、複数のリンク材をパンタグラフ状に連結したものであり、各リンク材同士の連結部のうちの少なくとも一箇所がガイド格子に上下動自在に係合しており、ストッパーは、連結部の上下動を規制するものであり、ガイド格子に設けた被係合部に係合する係合部を上下方向の中央から上側又は下側の少なくとも一方側に有すると共に上下反転して取り付け自在であって、係合部の配置がストッパーの中心に対して上下非対称であることを特徴とする伸縮門扉。
【発明の詳細な説明】
【技術分野】
【０００１】
本発明は、開き寸法を調節可能な伸縮門扉に関する。
【背景技術】
【０００２】
伸縮門扉の門扉本体は、複数のガイド格子を、パンタグラフ状のリンクで連結して、左右方向に伸縮自在に構成してある。この際、リンクを構成するリンク材同士を連結した連結部がガイド格子にスライド自在に係合しており、連結部のスライドを規制することで、門扉本体の開き寸法を調節することができる。そのためには、ガイド格子に連結部と当接するストッパーを取り付ければよく、たとえば特許文献１においては、ガイド格子（縦桟）にストッパーをネジ止めして固定してある。
【先行技術文献】
【特許文献】
【０００３】
【特許文献１】特開２００１−２０７７５７号公報
【発明の概要】
【発明が解決しようとする課題】
【０００４】
しかしながら、特許文献１の発明は、ネジ止め作業に手間がかかり施工性が悪く、また複数のガイド格子のそれぞれにストッパーを取り付ける場合には、それらの高さ位置を揃えることにも手間がかかるという問題があった。
【０００５】
本発明は、上記事情を鑑みたものであり、開き寸法を調節するためのストッパーを容易に取り付けられる伸縮門扉を提供することを目的とする。
【課題を解決するための手段】
【０００６】
本発明は、ガイド格子と、左右方向に伸縮自在なリンクと、ガイド格子に着脱自在に取り付けたストッパーとを備え、リンクは、複数のリンク材をパンタグラフ状に連結したものであり、各リンク材同士の連結部のうちの少なくとも一箇所がガイド格子に上下動自在に係合しており、ストッパーは、連結部の上下動を規制するものであり、ガイド格子に設けた被係合部に係合する係合部を上下方向の中央から上側又は下側の少なくとも一方側に有すると共に上下反転して取り付け自在であって、係合部の配置がストッパーの中心に対して上下非対称であることを特徴とする。なお、係合部は少なくとも一箇所に設けてあればよく、係合部の配置がストッパーの中心に対して上下非対称であるとは、一つの係合部のみがストッパーの上下方向の中央から上側又は下側のどちらかに設けてある場合、二つ以上の係合部が上側又は下側のどちらかに設けてある場合及び二つ以上の係合部が上側と下側の両側に設けてあって上側と下側とで中心に対する配置が異なる場合の何れをも含む概念である。
【発明の効果】
【０００７】
本発明によれば、ストッパーの係合部をガイド格子の被係合部に係合させるだけで容易にストッパーをガイド格子に取り付けることができるので、施工性が良好である。また、高さ位置は被係合部の場所により規定されているので、複数のガイド格子のそれぞれにストッパーを取り付ける場合でも、容易かつ確実に高さが揃う。さらに、係合部の配置がストッパーの中心に対して上下非対称であるので、上下反転して取り付けることで連結部との当接位置が変化し、門扉本体の開き寸法を調節できる。
【図面の簡単な説明】
【０００８】
【図１】ストッパー及びストッパー取付部分の斜視図である。
【図２】ガイド格子の水平方向断面図である。
【図３】伸縮門扉の全体図である。
【図４】ストッパーによる開き寸法の調節についての説明図である。
【図５】図４のストッパー部分の拡大図である。
【発明を実施するための形態】
【０００９】
以下、本発明の実施の形態を図面に基づいて説明する。この門扉は、図３（（ａ）が上面図、（ｂ）が正面図を示す）に示すように、二本の門柱５の間に伸縮自在な門扉本体６を設けたもので、門柱５の間の開口部を開閉自在としてある。なお、前後方向とは図３（ａ）における上下方向を示し、左右方向とは図３（ｂ）における左右方向を示すものとする。
【００１０】
門扉本体６は、複数のガイド格子１と、複数のリンク材２１をパンタグラフ状に連結したリンク２と、ストッパー３とを有する。ガイド格子１は、図１及び図２に示すように、前後に配置した二本の縦枠１２と、両縦枠１２の上端同士及び下端同士を連結する横枠１３からなる。縦枠１２は角管材からなり、両縦枠１２の対向する面には長手方向中心に沿って案内溝１４が形成してある。このガイド格子１が左右方向に複数個並んでおり、リンク２で連結してある。リンク２を構成するそれぞれのリンク材２１は、長手方向両端部及びその間を四分割する位置に連結部４を有して他のリンク材２１と回動自在に連結されており、リンク２が左右方向に伸縮自在である。リンク２は両縦枠１２の間に位置し、上下方向に並んだ連結部４（リンク材２１の中央の固定連結部４ａ及び両端の可動連結部４ｂ）が、同じガイド格子１と連結している。これらの連結部４のうち、固定連結部４ａは、ガイド格子１に固定されており、可動連結部４ｂは、固定連結部４ａの上下に位置し、ガイド格子１に上下動自在に係合している。より詳しくは、可動連結部４ｂは、前後方向に突出した支軸４１と、その両端に取り付けた回動自在なローラー４２とを有し、支軸４１がガイド格子１の縦枠１２の案内溝１４を通り、ローラー４２が縦枠１２の内部に納まり、内周面を転動してスライドする。このように構成した門扉本体６を左右に引き伸ばす際には、各ガイド格子１同士の間隔が開き、上側の可動連結部４ｂは下方へスライドし、下側の可動連結部４ｂは上方へスライドする。よって、この可動連結部４ｂの上下動を規制すれば、門扉本体６の開き寸法を調節できる。
【００１１】
そこで、本発明の門扉はガイド格子１の案内溝１４にストッパー３を挿入し、可動連結部４ｂの上下動を規制している。図１に示すように、ストッパー３は略直方体形で、左右両面の上端部及び中間部から係合部３１（端部係合部３１ａ及び中間係合部３１ｂ）が突出しており、これらの係合部３１はストッパー３の中心に対して上下非対称な配置である。また、左右両面の端部係合部３１ａと中間係合部３１ｂとの間には、挿入方向手前側に突出する摘み片３２が形成してあり、摘み片３２の側面には爪部３３が形成してある。さらに、ストッパー３の上面を第一当接面３４、下面を第二当接面３５とする。第一当接面３４は端部係合部３１ａと面一であり、第二当接面３５は中間係合部３１ｂよりも下方に位置する。そして、ガイド格子１の案内溝１４の固定連結部４ａより上方の縁部には、ストッパー３の端部係合部３１ａ及び中間係合部３１ｂに対応する間隔で切欠が形成され、被係合部１１としてある。ストッパー３の両係合部３１ａ，３１ｂをガイド格子１の被係合部１１に合わせて挿入すると、爪部３３が案内溝１４の縁部に係合して、ストッパー３が固定される。このようにストッパー３を取り付けた状態で門扉本体６を左右に引き伸ばすと、図４（ａ）及び図５（ａ）に示すように、上側の可動連結部４ｂが下方へスライドし、ローラー４２がストッパー３の第一当接面３４に当接する。ストッパー３はガイド格子１に固定されており、可動連結部４ｂはそれ以上下方へスライドすることができないので、門扉本体６もそれ以上引き伸ばすことができなくなる。なお、左右の摘み片３２を両側から摘むことで、左右の爪部３３同士の間隔が狭まり、案内溝１４から取り外すことができる。
【００１２】
そして、このストッパー３は、上下反転してガイド格子１の案内溝１４に取り付けることもできる。その場合、図４（ｂ）及び図５（ｂ）に示すように、第二当接面３５が上面となり、門扉本体６を左右に引き伸ばした際には、可動連結部４ｂのローラー４２が第二当接面３５に当接する。ここで、第二当接面３５は中間係合部３１ｂよりも上方に位置しているので、第一当接面３４に当接する場合と比べて、より上方の位置で当接することになる。すなわち、その分だけ可動連結部４ｂの可動域が狭くなるので、門扉本体６の開き寸法は小さくなる。
【００１３】
このように、ストッパーはガイド格子の案内溝に挿入するだけで爪部が案内溝の縁部に係合して固定されるので、施工性が良好である。また、ストッパーを複数のガイド格子のそれぞれに取り付ける場合、高さ位置が被係合部により規定されているので、各ストッパーの高さを合わせる手間がかからず、確実に高さが揃う。さらに、ストッパーを上下反転させるだけで門扉本体の開き寸法を調節できる。
【００１４】
本発明は、上記の実施形態に限定されない。ストッパーは、ガイド格子の固定連結部より下方に設けてもよく、この場合、下側の可動連結部が下方からストッパーに当接する。また、ガイド格子に被係合部を複数組形成してストッパーの取り付け高さを変えられるようにすれば、さらに開き寸法を多段階に調節できる。さらに、係合部の配置はストッパーの中心に対して上下非対称であって、上下反転させても被係合部に係合可能であればよく、例えば、上記実施形態において端部係合部又は中間係合部の何れか一方のみを有するものや、三つ以上の係合部を有するものなど、その個数や位置は自由に設定できる。
【符号の説明】
【００１５】
１  ガイド格子
２  リンク
３  ストッパー
４  連結部
１１  被係合部
２１  リンク材
３１  係合部
【図１】
2010209649.tif 000003
【図２】
2010209649.tif 000004
【図３】
2010209649.tif 000005
【図４】
2010209649.tif 000006
【図５】
2010209649.tif 000007